(57)【特許請求の範囲】
【請求項１】
表示装置に設置されたセンサーが、前記表示装置に表示されている映像の領域のうち所定領域における輝度及び／又は色度を検出する検出工程と、
検出された輝度及び／又は色度を、前記映像を識別する映像識別情報に変換するセンシング結果変換工程と、
前記映像識別情報と、前記映像が表示された時刻と、を出力するセンシング結果読出工程と、
前記センシング結果読出工程により得られる前記映像識別情報と、前記時刻とが、前記表示装置に表示される映像に対して付加された映像識別情報と、当該付加された映像識別情報の表示予定時刻とに一致するか否かに基づいて、前記映像が表示されたか否かを判定する映像識別情報判定工程と、
を有する映像信号監視方法。
【請求項２】
前記センサーは、輝度センサーであり、前記所定領域において時間的に変化する輝度を検出する
請求項１に記載の映像信号監視方法。
【請求項３】
前記センサーは、カラーセンサーであり、前記所定領域において時間的に変化する色度を検出する
請求項１に記載の映像信号監視方法。
【請求項４】
前記センサーは、前記映像の表示開始から予め定められた時間において、前記輝度及び／又は色度を検出する、
請求項１から請求項３いずれか一項に記載の映像信号監視方法。
【請求項５】
表示装置に設置され、前記表示装置に表示されている映像の領域のうち所定領域における輝度及び／又は色度を検出するセンサーと、
検出された輝度及び／又は色度を、前記映像を識別する映像識別情報に変換するセンシング結果変換部と、
前記映像が表示された時刻を取得する時間計測部と、
前記映像識別情報と、前記時刻と、を、前記映像識別情報と、前記時刻とが、前記表示装置に表示される映像に対して付加された映像識別情報と、当該付加された映像識別情報の表示予定時刻とに一致するか否かに基づいて、前記映像が表示されたか否かを判定する映像識別情報比較装置へ出力するセンシング結果読出部と、
を有する映像信号監視装置。
【請求項６】
前記センサーは、輝度センサーであり、前記所定領域において時間的に変化する輝度を検出する
請求項５に記載の映像信号監視装置。
【請求項７】
前記センサーは、カラーセンサーであり、前記所定領域において時間的に変化する色度を検出する
請求項５に記載の映像信号監視装置。
【請求項８】
前記センサーは、前記映像の表示開始から予め定められた時間において、前記輝度及び／又は色度を検出する、
請求項５から請求項７いずれか一項に記載の映像信号監視装置。
【請求項９】
表示装置に設置されたセンサーが検出する、前記表示装置に表示されている映像の領域のうち所定領域における輝度及び／又は色度を、前記映像を識別する映像識別情報に変換するセンシング結果変換部と、
前記映像が表示された時刻を取得する時間計測部と、
前記映像識別情報と、前記時刻と、を、前記映像識別情報と、前記時刻とが、前記表示装置に表示される映像に対して付加された映像識別情報と、当該付加された映像識別情報の表示予定時刻とに一致するか否かに基づいて、前記映像が表示されたか否かを判定する映像識別情報比較装置へ出力するセンシング結果読出部と、
を有する表示装置。
【請求項１０】
前記センサーは、輝度センサーであり、前記所定領域において時間的に変化する輝度を検出する
請求項９に記載の表示装置。
【請求項１１】
前記センサーは、カラーセンサーであり、前記所定領域において時間的に変化する色度を検出する
請求項９に記載の表示装置。
【請求項１２】
前記センサーは、前記映像の表示開始から予め定められた時間において、前記輝度及び／又は色度を検出する、
請求項９から請求項１１いずれか一項に記載の表示装置。
【発明の詳細な説明】
【技術分野】
【０００１】
本発明は、映像信号監視方法、映像信号監視装置、および表示装置に関する。本願は、２０１５年３月２６日に、日本に出願された特願２０１５−０６３６３８号に基づき優先権を主張し、その内容をここに援用する。
【背景技術】
【０００２】
従来の印刷媒体を用いた広告手段から別の広告手段への置き換えを進めるため、大型の表示装置において、広告コンテンツの映像を表示する広告表示装置の開発が行われている。この広告表示装置で広告コンテンツを表示する際、意図したコンテンツが希望通り表示できていることを確認することは、広告コンテンツを供給し広告費を払っている広告提供側にとって非常に重要なことである。また、意図したコンテンツが希望通り表示できている状況を確認することは、媒体を表示する広告表示側にとっても重要なことである。【０００３】
これらの確認に対応するために、表示装置の外部にカメラを備え、表示装置に表示される広告コンテンツを録画することで、意図したコンテンツが希望通り表示できている状況を確認する表示装置が特許文献１に開示されている。
【先行技術文献】
【特許文献】
【０００４】
【特許文献１】特開２０１１−９５８０４号公報
【発明の概要】
【発明が解決しようとする課題】
【０００５】
しかしながら、特許文献１に記載の表示装置では、表示装置から一定距離離れた外部にカメラを設置することが必要となり、そのカメラが高価格であるため、表示システムの製造コストが高くなるという問題がある。【０００６】
本発明は上記の点に鑑みてなされたものであり、主たる目的は上述した問題を解決する映像信号監視方法等を提供することにある。
【課題を解決するための手段】
【０００７】
上記の課題を解決するために、本発明の映像信号監視方法は、表示装置に設置されたセンサーが、前記表示装置に表示されている映像の領域のうち所定領域における輝度及び／又は色度を検出する検出工程と、検出された輝度及び／又は色度を、前記映像を識別する映像識別情報に変換するセンシング結果変換工程と、前記映像識別情報と、前記映像が表示された時刻と、を出力するセンシング結果読出工程と、を有する。
【０００８】
また、本発明の映像信号監視装置は、表示装置に設置され、前記表示装置に表示されている映像の領域のうち所定領域における輝度及び／又は色度を検出するセンサーと、検出された輝度及び／又は色度を、前記映像を識別する映像識別情報に変換するセンシング結果変換部と、前記映像が表示された時刻を取得する時間計測部と、前記映像識別情報と、前記時刻と、を、前記映像識別情報と、前記時刻とが、前記表示装置に表示される映像に対して付加された映像識別情報と、当該付加された映像識別情報の表示予定時刻とに一致するか否かに基づいて、前記映像が表示されたか否かを判定する映像識別情報比較装置へ出力するセンシング結果読出部と、を有する。
【０００９】
また、本発明の表示装置は、表示装置に設置されたセンサーが検出する、前記表示装置に表示されている映像の領域のうち所定領域における輝度及び／又は色度を、前記映像を識別する映像識別情報に変換するセンシング結果変換部と、前記映像が表示された時刻を取得する時間計測部と、前記映像識別情報と、前記時刻と、を、前記映像識別情報と、前記時刻とが、前記表示装置に表示される映像に対して付加された映像識別情報と、当該付加された映像識別情報の表示予定時刻とに一致するか否かに基づいて、前記映像が表示されたか否かを判定する映像識別情報比較装置へ出力するセンシング結果読出部と、を有する。
【発明の効果】
【００１０】
本発明によれば、映像に、映像を識別し、そのコンテンツの内容を示すＩＤ（映像識別情報）を付加することで、外部に必要であったカメラを用いることなく、低価格で小さなセンサーに置き換えることにより、表示内容の検証を行うことができる。
【図面の簡単な説明】
【００１１】
【図１】本実施形態の表示システム１の概略構成図である。
【図２】ＩＤについて説明するための図である。
【図３】図１に示す表示システム１の主要な構成を示す図である。
【図４】本実施形態の表示システム１Ａの概略構成図である。
【図５】本発明の一実施形態に係る表示装置を表示面の表側から見た斜視図である。
【図６】図５の表示装置を表示面の裏側から見た斜視図である。
【図７】本実施形態の表示システム１Ａの処理のフローチャートである。
【図８】本実施形態の表示システム１Ｂの概略構成図である。
【図９】本発明の一実施形態に係る表示装置を表示面の表側から見た斜視図である。
【発明を実施するための形態】
【００１２】
以下、図面を参照しながら本発明の実施形態について詳しく説明する。図１は、本実施形態の表示システム１の概略構成図である。
表示システム１は、表示装置１０、信号受信部１１、信号処理部１２、時間計測部１３、センシング結果変換部１４、センシング結果記憶部１５、センシング結果読出部１６、センサー２０を備えている。
【００１３】
信号受信部１１は、外部からＩＤ（映像識別情報）が付加された映像３０を受信し、映像３０を表示システム１内部で処理しやすい形式に変換して信号処理部１２に送信する。なお、ＩＤとは、映像のコンテンツを識別するための情報を有する識別子であり、映像３０を識別するために映像３０に付加される。
信号処理部１２は、信号受信部１１から受信した映像３０を、表示装置１０で表示するために適した信号の処理を行い表示装置１０に送信する。
表示装置１０は、信号処理部１２から受信した映像３０を表示する。この際、付加されたＩＤも画面上に表示される。
【００１４】
センサー２０は、表示装置１０で表示されるＩＤに被さるように準備された状態で、表示装置１０に設置されている。センサー２０は、表示装置１０に表示されているＩＤの輝度又は色度の変化を検出する。
図２は、ＩＤについて説明するための図である。図２（ａ）は、センサー２０として輝度センサーを用いる場合のＩＤについて示し、図２（ｂ）は、センサー２０としてカラーセンサーを用いる場合のＩＤについて示している。
図２（ａ）に示すように、ＩＤは、センサーが輝度センサーだけの場合には、色情報を含まない白だけの信号で表示時間の長さが可変にされることにより、コンテンツの内容を表す。図２（ａ）は、ＩＤが３ｓ（秒）、１ｓ、２ｓ、１ｓ、２ｓと時間的に変化する様子を示している。
また、図２（ｂ）に示すように、ＩＤは、センサーにカラーセンサーを用いる場合には、時間的に変化するＩＤに色情報を加えることができ、表示単位ごとにビット深度のある色情報を付加できる。図２（ｂ）は、ＩＤが白３ｓ、青１ｓ、赤２ｓ、白１ｓ、緑２ｓと時間的に変化する様子を示している。
【００１５】
ＩＤには、広告主（広告提供側）の識別情報やコンテンツの識別情報を載せることが可能である。また、ＩＤは、センサー２０の場所を特定するため、予め定められた位置に定められたサイズで、すなわち、表示されている映像の領域のうち所定領域で表示される。また、ＩＤは、広告表示側が広告提供側に情報を提示して広告提供側がコンテンツに加えるか、あるいはコンテンツの提供を受けた広告表示側が後付けで映像に付加することが可能である。
【００１６】
センサー２０は、ＩＤを含むコンテンツを表示した表示装置１０からＩＤを読み取り、読み取った結果をセンシング結果変換部１４に輝度又は色度の変化を示す信号として送信する。
時間計測部１３は、ＩＤの付加された映像が表示された時間又は時刻を取得する。
センシング結果変換部１４は、センサー２０から受信した輝度又は色度の変化を、予め定められたルールに基づきＩＤに変換する。
ここで、予め定められたルールに基づくＩＤへの変換とは、輝度又は色度の変化に基づいて、ＩＤを構成するＩＤパターン（例えば、図２（ａ）、図２（ｂ）における最初の３ｓに表示されるＩＤパターンなど）各々が、どのようなＩＤパターンであるかを決定し、当該ＩＤパターンの表示時間を算出することをいう。
センシング結果変換部１４は、例えば、センサー２０から受信した輝度又は色度が、ＩＤパターンに対して予め設定された複数の基準範囲のいずれかに入っているか否かを判定することにより、ＩＤを構成するＩＤパターン各々を決定することができる。
また、センシング結果変換部１４は、ＩＤパターン各々の表示時間の算出を行う。センシング結果変換部１４は、例えば、上記判定を行っている際、ＩＤパターン各々が予め設定された複数の基準範囲のいずれかに入っている時間を、時間計測部１３が取得する時間に対応させることにより算出できる。
また、センシング結果変換部１４は、ＩＤを構成するＩＤパターンと時間信号とを測定順に順番にセンシング結果記憶部１５に送信する。ここで、時間信号とは、ＩＤパターンを構成するＩＤパターン各々の表示時間である。
【００１７】
ＩＤを構成するＩＤパターンが測定順に順番に並んだ状態は、センシング結果変換部１４が変換するＩＤの状態を表すものである。すなわち、センシング結果変換部１４は、センサー２０から受信した輝度又は色度の変化を、映像３０に付加されたＩＤに変換できる。例えば、図２（ａ）に示すような、表示時間の長さが可変であるＩＤに変換できる。また、図２（ｂ）に示すような、表示時間の長さが可変であり、カラーセンサーによって得られる結果に基づく色情報を含むＩＤに変換できる。
【００１８】
センシング結果記憶部１５は、センシング結果変換部１４から送信されてきたＩＤを構成するＩＤパターンと時間信号とを、所定のフォーマットで、送信されてきた順番に記憶する。
また、センシング結果記憶部１５は、この際、時間計測部１３と整合しＩＤが表示された時刻も合わせて記憶する。時間計測部１３との整合とは、ＩＤを構成するＩＤパターンのうち最初のＩＤパターンが表示開始された時刻を時間計測部１３が取得しており、この時刻を表示装置１０にＩＤが表示された時刻として、センシング結果記憶部１５が記憶することである。
【００１９】
センシング結果読出部１６は、任意のタイミングでセンシング結果記憶部１５の記憶内容を読み出すことが可能な構成を有する。センシング結果読出部１６は、センシング結果記憶部１５から、ＩＤを構成するＩＤパターンと時間信号とを記憶された順番に読み出すことにより、センシング結果変換部１４が変換したＩＤを受信する。例えば、センシング結果読出部１６は、図２に示すＩＤをセンシング結果記憶部１５から受信する。
また、センシング結果読出部１６は、センシング結果記憶部１５から、表示装置１０にＩＤが表示開始された時刻を受信する。
すなわち、センシング結果読出部１６は、センシング結果記憶部１５に記憶するセンシング結果変換部１４により変換されたＩＤと、時間計測部１３が計測する時間のうち表示装置１０にＩＤが表示された時刻とを受信し、受信結果を出力する。
このように、表示システム１は、センシング結果変換部１４により変換されたＩＤと、表示装置１０にＩＤが表示された時刻と、を出力することで、広告表示側が広告提供側に所定のコンテンツがどの時刻に表示されていたかを示すことを可能にすることができる。
【００２０】
上記実施形態の説明では、センサー２０を表示装置１０に対して固定設置したものとして説明をしたが、コンテンツの一部を隠してしまう場合がある。このため、ＩＤを表示する時間を予め定めておくことで収納可能なセンサーを用いることも可能である。この場合、センサーは通常収納されているが、時間計測部１３に接続され定められた時間になると出てきてＩＤの認識を行う構成としてもよい。
すなわち、センサーは、映像の表示開始から予め定められた時間において、輝度及び／又は色度を検出するように、表示装置１０に設置されてもよい。
【００２１】
次に、図３は、図１に示す表示システム１の主要な構成を示す図である。
図３に示すように、表示システム１は、センサー２０と、時間計測部１３と、センシング結果変換部１４と、センシング結果読出部１６と、を備える。
センサー２０は、表示装置１０に設置され、表示装置１０に表示されている映像（映像３０）の領域のうち所定領域における輝度及び／又は色度を検出する。センサー２０は、輝度センサーであり、所定領域において時間的に変化する輝度を検出する。或いは、センサー２０は、カラーセンサーであり、所定領域において時間的に変化する色度を検出する。
センシング結果変換部１４は、輝度及び／又は色度を、ＩＤ（映像を識別する映像識別情報）に変換する。
時間計測部１３は、ＩＤの付加された映像が表示された時刻又は時間を取得する。
センシング結果読出部１６は、ＩＤと時刻又は時間とを出力する。
【００２２】
これにより、本実施形態の表示システム１によれば、映像３０に、映像３０を識別し、そのコンテンツの内容を示すＩＤ（映像識別情報）を付加することで、外部に必要であったカメラを用いることなく、低価格で小さなセンサー２０に置き換えることにより、表示内容の検証を行うことができる。また、表示内容の正しさは、センサー２０の検知結果によりセンシング結果変換部１４が変換するＩＤと、表示装置１０にＩＤが表示された時刻とから判別できるため、映像として確認する必要はなくなり、検証に要する時間を短くできる。これにより、製造コストを抑え、かつ表示内容の正しさの検証に要する時間を短くできる表示システム１および表示システム１の制御方法を提供することができる。
【００２３】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、センシング結果読出部１６をクラウドに接続するなどの方法で自動的に広告表示側あるいは広告提供側に情報として提供することも可能である。
センシング結果読出部１６にクラウド接続などによる自動送信手段を用いる場合、センシング結果記憶部１５を持たずに自動送信させることも可能である。
【００２４】
また、上記実施形態の説明では、便宜的にＩＤに用いる信号は一定の振幅（輝度）を用いている。この振幅を変えてさらに情報量を増やすことも可能である。たとえば８つの諧調を表現することで３ビット分の情報の追加ができる。
【００２５】
また、上記実施形態の説明では、表示システム１内の表示装置１０にセンサー２０を設置することを想定しているが、センサー２０を外付けにして、センシング結果変換部１４による変換やセンシング結果記憶部１５による記憶をＰＣ（Ｐｅｒｓｏｎａｌ  Ｃｏｍｐｕｔｅｒ）で実現する方法も考えられる。
【００２６】
続いて、表示システム１を具体化した表示システム１Ａについて説明する。
図４は、本実施形態の表示システム１Ａの概略構成図である。なお、図４において、図１と同じ部分には同じ符号を付し、その説明については適宜省略する。
表示システム１Ａは、映像識別情報付加装置１００と、表示装置１０Ａと、センサー付きモジュール５（映像信号監視装置）と、映像識別情報比較装置２００と、を含んで構成されている。
表示装置１０Ａは、信号受信部１１と、信号処理部１２と、表示パネル２Ａと、を含んで構成されている。
センサー付きモジュール５は、センサー２０Ａと、センシングモジュール５Ａと、を含んで構成されている。センシングモジュール５Ａは、時間計測部１３と、センシング結果変換部１４と、センシング結果記憶部１５と、センシング結果読出部１６と、を含んで構成されている。
映像識別情報付加装置１００は、表示装置１０Ａの外部に配置され、表示装置１０Ａに表示される広告コンテンツにコンテンツ判別用のＩＤを付加し、ＩＤが付加された映像３０を、表示装置１０Ａの信号受信部１１に対して送信する。映像識別情報付加装置１００は、１台の表示装置１０Ａへ映像３０を送信するＰＣであってもよいし、２台以上の表示装置１０Ａへ映像３０を送信するサーバであってもよい。
【００２７】
ここで、センサー付きモジュール５の表示装置１０Ａに対する配置について、図５及び図６を参照して説明する。
図５は、本発明の一実施形態に係る表示装置１０Ａを表示面の表側から見た斜視図である。また、図６は、図５の表示装置を表示面の裏側から見た斜視図である。
表示装置１０Ａにおける表示パネル２Ａは、前面に映像３０を表示するための表示面３Ａを有している。
センサー２０Ａは、表示パネル２Ａの表示面３Ａの端部領域（表示パネル２Ａの最も外側の画素を含む一定領域）に被さるような状態で配置されている。また、センサー２０Ａは、コネクタ６０Ａを有しており、ケーブル７Ａを介して、図６に示す表示パネル２Ａの背面側に配置されるセンシングモジュール５Ａのコネクタ６１Ａに接続されている。コネクタ６１Ａは、センシングモジュール５Ａ内の内部配線によりセンシング結果変換部１４に接続され、センサー２０Ａが検出したＩＤがセンシング結果変換部１４に入力される。
センシングモジュール５Ａは、表示パネル２Ａにおいて形成されているスロット８に対して挿抜可能である。スロット８に対するセンシングモジュール５Ａの挿抜方向ＡＢは、表示パネル２Ａの厚さ方向Ｗに直交する方向となっている。センシングモジュール５Ａは、スロット８に挿入された状態で、表示装置１０Ａ内の電源配線に電気的に接続され、センシング結果変換部１４などの動作が可能になる。
センシングモジュール５Ａは、コネクタ６２Ａを有している。センシング結果読出部１６は、例えば、コネクタ６２Ａに接続される図６では不図示のＬＡＮケーブルにより、映像識別情報比較装置２００にＩＤ結果と時刻情報を出力する。もちろん、センシング結果読出部１６は、映像識別情報比較装置２００への送信を無線送信により行ってもよい。
【００２８】
なお、センシングモジュール５Ａを、スロット８に挿入された状態でなく、表示装置１０Ａの外部に設置された状態としてもよい。この場合、表示装置１０Ａ外の外部電源装置からの電源配線に電気的に接続され、センシング結果変換部１４などの動作が可能になる。
また、表示装置を、複数（ｍ行×ｎ列（ｍ、ｎは自然数））の表示装置１０Ａをデイジーチェーン接続してなるマルチディスプレイ装置で構成する場合、ｍ×ｎ個の表示装置のうち、少なくとも１つの表示パネル２Ａの表示面３Ａの端部にセンサー２０Ａが配置される構成としてもよい。
また、例えば、ＯＰＳ（Ｏｐｅｎ  Ｐｌｕｇｇａｂｌｅ  Ｓｐｅｃｉｆｉｃａｔｉｏｎ）のように表示装置１０Ａの機能を拡張する機能拡張モジュールに、センシングモジュール５Ａの機能を載せ、機能拡張モジュールを図６に示す方法で挿抜可能な構成としてもよい。また、例えば、ラズベリーパイ（Ｒａｓｐｂｅｒｒｙ  Ｐｉ）のような小型なコンピュータの基板を表示装置１０Ａに入れるときに、センシングモジュール５Ａの基板を入れてもよい。
【００２９】
図４に戻って、映像識別情報比較装置２００は、例えば、ＰＣで構成され、センシング結果読出部１６が行うセンシング結果読出工程により得られるＩＤと、ＩＤの表示された時刻とが、表示装置１０Ａに表示される映像３０に対して映像識別情報付加装置１００が付加したＩＤと、付加したＩＤの表示予定時刻とに一致するか否かに基づいて、映像３０が表示装置１０Ａに表示されたか否かを判定する。
なお、センシング結果読出部１６とＵＳＢ（Ｕｎｉｖｅｒｓａｌ  Ｓｅｒｉａｌ  Ｂｕｓ）ケーブルで接続されたＵＳＢメモリに対して、センシング結果読出部１６がセンシング結果読出工程により得られるＩＤと、ＩＤの表示時刻とを書き込む。この書き込まれたＩＤと、ＩＤの表示された時刻とが、映像識別情報付加装置１００が映像３０に対して付加したＩＤと、付加したＩＤの表示予定時刻とに一致する否かに基づいて、映像識別情報比較装置２００が、映像３０が表示装置１０Ａに表示されたか否かを判定する構成としてもよい。
【００３０】
続いて、表示システム１Ａにおける制御処理について説明する。図７は、本実施形態の表示システム１Ａの処理のフローチャートである。
映像識別情報付加装置１００に広告コンテンツが入力される（ステップＳ１）。
映像識別情報付加装置１００は、広告コンテンツに広告コンテンツ判別用のＩＤを付加する（ステップＳ２）。
表示装置１０Ａの信号受信部１１に映像識別情報付加装置１００から出力されたＩＤが付加された広告コンテンツ（映像３０）が入力される（ステップＳ３）。
表示装置１０Ａの信号処理部１２において映像３０の処理がおこなわれる（ステップＳ４）。
表示装置１０Ａの表示パネル２Ａに広告コンテンツ及び広告コンテンツ判別用のＩＤを含む映像３０が表示される（ステップＳ５）。
【００３１】
センサー２０ＡがＩＤを検出する（ステップＳ６）。
センサー２０Ａは、検出したＩＤをセンシング結果変換部１４へ送出する（ステップＳ７）。
センシング結果変換部１４は、センサー２０Ａが検出したＩＤを受信する（ステップＳ８）。
センシング結果変換部１４は、ＩＤの信号形態を元の広告コンテンツに重畳したＩＤと同様な比較可能信号フォーマットに変換する（ステップＳ９）。これを、ＩＤ結果とする。
センシング結果変換部１４は、時間計測部１３からの時間情報をＩＤ結果に追加する（ステップＳ１０）。
センシング結果記憶部１５は、ＩＤ結果と時刻情報とを保存する（ステップＳ１１）。
センシング結果読出部１６は、ＩＤ結果と時刻情報とを出力する（ステップＳ１２）。
【００３２】
映像識別情報比較装置２００が、ＩＤ結果と時刻情報を受信する（ステップＳ１３）。
映像識別情報比較装置２００は、映像識別情報付加装置１００がコンテンツに付加したＩＤとＩＤ結果とを比較する（ステップＳ１４）。これにより、広告コンテンツが、表示装置１０Ａに正しく表示出来ていたか否かの確認ができる。
【００３３】
続いて、表示システム１を具体化した表示システム１Ｂについて説明する。
図８は、本実施形態の表示システム１Ｂの概略構成図である。なお、図８において、表示システム１Ａを示す図４と同じ部分には同じ符号を付し、その説明については適宜省略する。
表示システム１Ｂは、映像識別情報付加装置１００と、表示装置１０Ｂ（表示装置）と、映像識別情報比較装置２００と、を含んで構成されている。
表示装置１０Ｂは、信号受信部１１と、信号処理部１２と、表示パネル２Ｂと、センシングモジュール５Ｂと、を含んで構成されている。
センシングモジュール５Ｂは、図４に示すセンシングモジュール５Ａと同じ構成を有しており、時間計測部１３と、センシング結果変換部１４と、センシング結果記憶部１５と、センシング結果読出部１６と、を含んで構成されている。センシングモジュール５Ｂは、図４に示すセンシングモジュール５Ａとは異なり、表示装置１０Ｂに内蔵されている。
【００３４】
ここで、センサー２０Ｂの表示装置１０Ｂに対する配置について、図９を参照して説明する。
図９は、本発明の一実施形態に係る表示装置１０Ｂを表示面の表側から見た斜視図である。
表示装置１０Ｂにおける表示パネル２Ｂは、前面に映像３０を表示するための表示面３Ｂを有している。
センサー２０Ｂは、表示パネル２Ｂの表示面３Ｂの端部領域（表示パネル２Ｂの最も外側の画素を含む一定領域）に被さるような状態で配置されている。また、センサー２０Ｂは、コネクタ６０Ｂを有しており、ケーブル７Ｂを介して、図９に示す表示パネル２Ｂのコネクタ６１Ｂに接続されている。コネクタ６１Ｂは、表示装置１０Ｂ内の内部配線によりセンシング結果変換部１４に接続され、センサー２０Ｂが検出したＩＤがセンシング結果変換部１４に入力される。
表示パネル２Ｂは、コネクタ６２Ｂを有している。センシング結果読出部１６は、例えば、コネクタ６２Ｂに接続される図９では不図示のＬＡＮケーブルにより、映像識別情報比較装置２００に接続され、映像識別情報比較装置２００にＩＤ結果と時刻情報を出力する。
これにより、広告コンテンツが、表示装置１０Ｂに正しく表示出来ていたか否かの確認ができる。
【００３５】
なお、表示システム１Ａでは、センサー２０Ａとセンシングモジュール５Ａとからなる映像信号監視装置とを、表示装置１０Ａの外付けとなる構成としている。また、表示システム１Ｂでは、センシングモジュール５Ｂが表示装置１０Ｂの内部にあって、センサー２０Ｂを、表示装置１０Ａの外付けとなる構成としている。これらに対して、表示システムにおいて、表示装置がセンサーとセンシングモジュールとを内蔵する構成をとってもよい。
また、図１における表示システム１、１Ａ、１Ｂの機能を実現するためのプログラムをコンピュータ読み取り可能な記録媒体に記録して、この記録媒体に記録されたプログラムをコンピュータシステムに読み込ませ、実行することにより、表示システム１、１Ａ、１Ｂの制御システムにおいて、センシング結果変換部１４が行うセンシング結果変換工程と、センシング結果読出部１６が行うセンシング結果読出工程と、を行ってもよい。なお、ここでいう「コンピュータシステム」とは、ＯＳや周辺機器等のハードウェアを含むものとする。
【００３６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【産業上の利用可能性】
【００３７】
本発明によれば、広告コンテンツが、映像表示装置に正しく表示出来ていたか否かの確認ができる映像信号監視方法等を提供することができる。
【符号の説明】
【００３８】
１，１Ａ，１Ｂ  表示システム
２Ａ，２Ｂ  表示パネル
３Ａ，３Ｂ  表示面
５  センサー付きモジュール
５Ａ，５Ｂ  センシングモジュール
１０，１０Ａ，１０Ｂ  表示装置
１１  信号受信部
１２  信号処理部
１３  時間計測部
１４  センシング結果変換部
１５  センシング結果記憶部
１６  センシング結果読出部
２０，２０Ａ，２０Ｂ  センサー
３０  映像
１００  映像識別情報付加装置
２００  映像識別情報比較装置
【図１】
0006462856.tif 000002
【図２】
0006462856.tif 000003
【図３】
0006462856.tif 000004
【図４】
0006462856.tif 000005
【図５】
0006462856.tif 000006
【図６】
0006462856.tif 000007
【図７】
0006462856.tif 000008
【図８】
0006462856.tif 000009
【図９】
0006462856.tif 000010